(57)【要約】【課題】ＣＶＴに用いられる、伝達効率の良好な無端金属ベルトを製造する。【解決手段】クリアランス決定方法は、無端金属ベルトの数百個のエレメントのクリアランスを決定する。エレメントの上下板厚差をパラメータとして、クリアランスと伝達効率との間には予め定められた関係がある。クリアランス決定方法は、エレメントの上下板厚差を測定して記憶するステップ（Ｓ１００）と、上下板厚差の平均値を算出するステップ（Ｓ２００）と、上下板厚差の平均値からクリアランス設定値を算出するステップ（Ｓ３００）と、フープ周長を読み出して（Ｓ４００）、フープ周長とクリアランス設定値とに基づいて、この無端金属ベルトを構成する、基準厚さのエレメントの数と、厚さ調整用のエレメントの数とを算出する（Ｓ５００）。【選択図】        図１１
2004218802.tif 000002
【特許請求の範囲】
【請求項１】
幅方向の両側面をシーブ面に接触させる複数のエレメントを、その板厚方向に並べて環状のフープに通すことにより構成された無端金属ベルトの組付け方法であって、
前記エレメントのピッチ線よりも外側の板厚と、前記ピッチ線上の板厚との板厚差を測定する測定ステップと、
測定された板厚差に基づいて、前記エレメント間のクリアランスを決定する決定ステップと、
決定されたクリアランスとなるように前記エレメントを前記フープに組付ける組付けステップとを含む、無端金属ベルトの組付け方法。
【請求項２】
前記測定ステップは、前記複数のエレメントの中から、予め定められた条件に従って抽出されたエレメントにおける板厚差を測定するステップを含む、請求項１に記載の無端金属ベルトの組付け方法。
【請求項３】
前記決定ステップは、前記測定された板厚差の平均値に基づいて、前記エレメント間のクリアランスを決定するステップを含む、請求項１または２に記載の無端金属ベルトの組付け方法。
【請求項４】
前記組付けステップは、決定されたクリアランスとなるように、前記エレメントの個数を決定して、前記決定された個数のエレメントを前記フープに組付けるステップを含む、請求項１〜３のいずれかに記載の無端金属ベルトの組付け方法。
【請求項５】
前記組付けステップは、決定されたクリアランスとなるように、予め準備した厚みの異なる２種類以上のエレメントの各個数を決定して、前記決定された個数のエレメントを前記フープに組付けるステップを含む、請求項１〜３のいずれかに記載の無端金属ベルトの組付け方法。
【発明の詳細な説明】
【０００１】
【発明の属する技術分野】
本発明は、板片状の多数のエレメント（ブロックともいう）を互いに対面させて環状に配置し、それらのエレメントに金属バンドであるフープを通して各エレメントを環状に結束して構成した無端金属ベルトの組付け技術に関し、特に、無端金属ベルトにおけるエレメントのクリアランスを決定する方法に関する。
【０００２】
【従来の技術】
車両においては、トランスミッションの変速比を車両の走行状況に応じて無段階に調整するベルト式無段変速機（ＣＶＴ：Ｃｏｎｔｉｎｕｏｕｓｌｙ  Ｖａｒｉａｂｌｅ  Ｔｒａｎｓｍｉｓｓｉｏｎ）が搭載されることがある。このＣＶＴは、エンジン出力を効率的に引き出すことが可能であり、燃費および走行性能の向上に優れる。実用化されたＣＶＴの１つとして、金属ベルトと一対のプーリとを用いて、油圧によってプーリの有効径を変化させることで連続的に無段の変速を実現するものがある。無端金属ベルトが、入力軸に取付けられた入力側プーリおよび出力軸に取付けられた出力側プーリに巻き掛けられて使用される。入力側プーリおよび出力側プーリは、溝幅を無段階に変えられる１対のシーブをそれぞれ備え、溝幅を変えることで、無端金属ベルトの入力側プーリおよび出力側プーリに対する巻付け半径が変わり、これにより入力軸と出力軸との間の回転数比、すなわち変速比を連続的に無段階に変化させることができる。
【０００３】
この無端金属ベルトは、厚さの異なる複数の種類のエレメントを準備し、これら複数の種類のエレメントを予め定められた個数の比率でランダムに組合せることにより製造される。このような無端金属ベルトのエレメントは、金属板をファインブランキングして製造されるが、そのエレメントの厚さ、特にエレメントの左右のプーリ当接面の厚さは製品のロット毎に異なっている。すなわち、同一ロット内のエレメントの左右のプーリ当接面の厚さの偏差には共通の特徴があり、ロット毎にエレメントの左側のプーリ当接面が右側のプーリ当接面よりも厚い場合と、右側のプーリ当接面が左側のプーリ当接面よりも厚い場合とがある。
【０００４】
エレメントのプーリ当接面が入力側プーリあるいは出力側プーリのＶ面に係合しているとき、そのエレメントがヨーイングするとプーリ当接面の前後のエッジがプーリのＶ面にエッジコンタクトし、プーリのＶ面に異常摩耗が発生して変速特性や耐久性に悪影響が及ぶことになる。
【０００５】
無端金属ベルトに含まれる多数のエレメントが全て同一ロットのものから構成されている場合、多数のエレメントが強い押し力で相互に密着すると、それぞれのエレメントの左右のプーリ当接面の厚さの偏差が累積されるため、エレメントが大きくヨーイングしてプーリへの巻きつき部分において前記エッジコンタクトが発生する可能性がある。
【０００６】
このような不具合は、左右のプーリ当接面の厚さの偏差が小さいエレメントだけを選択して使用すれば解決されるが、このようにするとエレメントの歩留りが低下してコストアップの要因となる問題が発生する。
【０００７】
特開２００１−２８０４２６公報（特許文献１）は、左右のプーリ当接面の厚さに偏差を有するエレメントを使用しても、プーリのＶ面との間にエッジコンタクトが発生しない製造方法を開示する。
【０００８】
特許文献１に開示されたエレメントの組合せ方法は、無端状の金属リングを複数枚積層した金属リング集合体と、金属リング集合体に積層状態で支持された多数のエレメントとから構成され、入力側プーリおよび出力側プーリに巻き掛けられて両プーリ間で駆動力の伝達を行なう無段変速機用ベルトにおいて、エレメントの左右のプーリ当接面の厚さを測定するステップと、予め定められた個数のエレメントの左右のプーリ当接面の厚さの偏差の総和が所定の範囲となるように予め定められた個数のエレメントを選択するステップと、選択したエレメントをランダムに組合せて金属リング集合体に組付けるステップとを含む。
【０００９】
この組合せ方法によると、エレメントの左右のプーリ当接面の厚さを測定し、予め定められた個数のエレメントの左右のプーリ当接面の厚さの偏差の総和が所定の範囲となるように、所定個数のエレメントを選択される。これらのエレメントがランダムに組合されて、金属リング集合体に組付けるので、入力側プーリの出口付近で強い押し力を受けたエレメントがヨーイングしても、そのプーリ当接面が入力側プーリのＶ面にエッジコンタクトするのが防止される。これにより、入力側プーリのＶ面の損傷を防止して耐久性の向上を図りながら、左右のプーリ当接面の厚さに偏差があるエレメントを使用することを可能として、エレメントの歩留りを向上させてコストダウンを図ることができる。
【００１０】
【特許文献１】
特開２００１−２８０４２６公報
【００１１】
【発明が解決しようとする課題】
しかしながら、特許文献１に開示されたエレメントの組合せ方法では、以下のような問題を解決していない。エレメントの左右方向以外の板厚、すなわちエレメントのピッチ線よりも外側の板厚とピッチ線上の板厚との板厚差が変化すると、無端金属ベルトの伝達効率が変化する。このため、特許文献１で言及していない、エレメントのピッチ線よりも外側の板厚とピッチ線上の板厚との板厚差によっては、無端金属ベルトのコストダウンを図れても、伝達効率が悪化するという問題が残る。
【００１２】
本発明は、上述の課題を解決するためになされたものであって、その目的は、エレメントの板厚差に基づいて変動する伝達効率を向上させるように、エレメント間のクリアランスを決定して、無端金属ベルトを組付ける方法を提供することである。
【００１３】
【課題を解決するための手段】
第１の発明に係る無端金属ベルトの組付け方法は、幅方向の両側面をシーブ面に接触させる複数のエレメントを、その板厚方向に並べて環状のフープに通すことにより構成された無端金属ベルトを組付ける方法である。この方法は、エレメントのピッチ線よりも外側の板厚と、ピッチ線上の板厚との板厚差を測定する測定ステップと、測定された板厚差に基づいて、エレメント間のクリアランスを決定する決定ステップと、決定されたクリアランスとなるようにエレメントをフープに組付ける組付けステップとを含む。
【００１４】
エレメントのピッチ線よりも外側の板厚と、ピッチ線上の板厚との上下板厚差をパラメータとして、エレメント間のクリアランスと伝達効率との間に所定の関係がある。第１の発明によると、決定ステップは、測定ステップにて測定された上下板厚差とこの所定の関係とに基づいて、伝達効率が最適になるようにエレメント間のクリアランスを決定する。組付けステップは、決定されたクリアランスとなるようにエレメントをフープに組付ける。その結果、エレメントの上下板厚差に基づいて変動する伝達効率を向上させるように、エレメントのクリアランスを決定して、無端金属ベルトを組付ける方法を提供することができる。
【００１５】
第２の発明に係る無端金属ベルトの組付け方法においては、第１の発明の構成に加えて、測定ステップは、複数のエレメントの中から、予め定められた条件に従って抽出されたエレメントにおける板厚差を測定するステップを含む。
【００１６】
第２の発明によると、測定ステップにおいて、上下板厚差が測定されるエレメントは、無端金属ベルト１本に使用されるエレメントの全て（たとえば４００個）であったり、４００個から任意に抽出したエレメントであったり、４００個からエレメントの製造ロット毎に抽出したエレメントであったりする。測定対象のエレメントを抽出してその個数を少なくすることにより処理を迅速に行なうことができる。
【００１７】
第３の発明に係る無端金属ベルトの組付け方法においては、第１または２の発明の構成に加えて、決定ステップは、測定された板厚差の平均値に基づいて、エレメント間のクリアランスを決定するステップを含む。
【００１８】
第３の発明によると、上下板厚差の平均値に基づいて、クリアランスを決定できる。このため多数のエレメントの上下板厚差の傾向に応じてクリアランスを決定できる。
【００１９】
第４の発明に係る無端金属ベルトの組付け方法においては、第１〜３のいずれかの発明の構成に加えて、組付けステップは、決定されたクリアランスとなるように、エレメントの個数を決定して、決定された個数のエレメントをフープに組付けるステップを含む。
【００２０】
第４の発明によると、フープの周長とクリアランスと基準エレメントの厚さとに基づいて、エレメントの個数を決定して、決定された個数のエレメントをフープに組付けることができる。
【００２１】
第５の発明に係る無端金属ベルトの組付け方法においては、第１〜３のいずれかの発明の構成に加えて、組付けステップは、決定されたクリアランスとなるように、予め準備した厚みの異なる２種類以上のエレメントの各個数を決定して、決定された個数のエレメントをフープに組付けるステップを含む。
【００２２】
第５の発明によると、フープの周長とクリアランスと基準エレメントの厚さと調整用エレメントの厚さとに基づいて、基準エレメントおよび調整用エレメントの個数を決定して、決定された個数のエレメントをフープに組付けることができる。調整用エレメントを使うので、クリアランスを微調整できる。
【００２３】
【発明の実施の形態】
以下、図面を参照しつつ、本発明の実施の形態について説明する。以下の説明では、同一の部品には同一の符号を付してある。それらの名称および機能も同じである。したがってそれらについての詳細な説明は繰返さない。
【００２４】
以下の説明では、多数のエレメントが互いに板厚方向に環状に並べて配置され、その左右のサドル部にフープを通して各エレメントが結束されて構成された無端金属ベルトおよびその無端金属ベルトを使用したベルト式無段変速機について説明する。
【００２５】
図１を参照して、本発明の実施の形態に係る無端金属ベルトが用いられるベルト式無段変速機１００について説明する。このベルト式無段変速機１００においては、無端金属ベルト１０６が、入力軸２００に取付けられた入力側プーリ２２０および出力軸３００に取付けられた出力側プーリ３２０に巻き掛けられて使用される。
【００２６】
入力側プーリ２２０および出力側プーリ３２０は、溝幅を無段階に変えられる１対のシーブ１０８をそれぞれ備え、車両の走行状態に応じて制御される油圧回路により溝幅を変えることで、無端金属ベルト１０６の入力側プーリ２２０および出力側プーリ３２０に対する巻付け半径が変わり、これにより入力軸２００と出力軸３００との間の回転数比、すなわち変速比を連続的に無段階に変化させることができる。
【００２７】
図２を参照して、無端金属ベルト１０６は、多数のエレメント１０２が互いに板厚方向に環状に並べて配置され、その左右のサドル部に環状の金属帯であるフープ１０４を通して各エレメント１０２が結束されて、図３に示すように、全体として、無端金属ベルト１０６が構成される。
【００２８】
エレメント１０２の形状の一例を、図４および図５に示す。エレメント１０２の幅方向の両側の側面は、シーブ１０８におけるテーパ状のシーブ面１１０に接触する対シーブ摩擦面１１２であって、シーブ面１１０と一致するテーパ面とされている。その対シーブ摩擦面１１２を備えた基体部分１１４の幅方向での中心部に、図４での上側に延びた首部１１６が形成され、その首部１１６が、左右に広がった頂部１１８につながっている。その左右に広がった頂部１１８と基体部分１１４との間にスリットが形成されており、この左右２つのスリットの部分にフープ１０４が通されている。そして、基体部分１１４におけるフープ１０４が接触する面がサドル面１２０となっている。
【００２９】
このサドル面１２０の高さは、基体部分１１４を横切るピッチ線Ｐからの寸法で表わされる。また、エレメント１０２の幅は、ピッチ線Ｐ上の寸法で表わされる。なお、頂部１１８のうち首部１１６の延長位置には、一方の面側に凸となり、他方の面側では凹となったディンプル・ホール１２２が形成されており、互いに隣接するエレメント１０２のディンプル・ホール１２２が互いに嵌合するようになっている。なお、ディンプル・ホール１２２の凸部を有する面がエレメントの表面、凹部を有する面がエレメントの裏面である。
【００３０】
図４に示すように、サドル面１２０は上に凸の曲面形状を有する。この曲面形状に沿ってフープ１０４が当接している。
【００３１】
無端金属ベルト１０６は、１対のシーブ１０８の間に挟み付けられて使用される。その場合、シーブ面１１０および対シーブ摩擦面１１２がテーパ面であるために、各エレメント１０２には、シーブ１０８による挟圧力により半径方向での外側に荷重が作用するが、各エレメント１０２がフープ１０４によって結束されているので、フープ１０４の張力により半径方向での外側への移動が規制される。その結果、シーブ面１１０と対シーブ摩擦面１１２との間に摩擦力が生じ、あるいは油膜の剪断力が生じてシーブ１０８と無端金属ベルト１０６との間でトルクが伝達される。
【００３２】
フープ１０４は、図２および図４に示すように、９〜１２層のリングを積層して形成される（ただし、図２および図４では９〜１２層ではなく３層として表わしている）。このとき、板幅が順に小さくなるように積層される。この場合、下層のリングほど、周長が短く板幅が大きく、上層のリングほど、周長が長く板幅が小さくなる。
【００３３】
図２および図３に示すように、無端金属ベルト１０６は、フープ１０４に多数のエレメント１０２を組合せて製造される。このフープ１０４に組合される所定の個数（たとえば４００個）のエレメント間にはクリアランスが存在する。すなわち、無端金属ベルト１０６を円状にして、互いのエレメント１０２を密接させていくと、１番目のエレメント１０２と４００番目のエレメント１０２とのあいだに隙間が生じる。この隙間がエレメント間のクリアランスである。このクリアランスを、エレメント１０２における上下方向の板厚差（図４および図５におけるエレメント１０２のピッチ線Ｐよりも上側の板厚とピッチ線Ｐ上の板厚との板厚差）に応じて設定しないと、無端金属ベルト１０６の伝達効率が低下する。通常、エレメント１０２は、ピッチ線Ｐよりも上側の板厚が、ピッチ線Ｐ上の板厚よりもやや厚くなるように製造される。
【００３４】
エレメント１０２の上下方向の板厚差が大きすぎる場合には、無端金属ベルト１０６が入力側プーリ２２０および出力側プーリ３２０に巻付けられて走行する際、その直線部において、伝達されるトルクにより回転中心から外側への力が発生して、フープ間の摩擦やフープ１０４とエレメント１０２との摩擦が増加してエネルギロスが発生し、伝達効率が低下する。そのため、エレメント間のクリアランスがある程度まで大きくないと、伝達効率が低下する。一方、エレメント間のクリアランスがある程度よりも大きいと、プーリ部において、クリアランスがあることによりシーブ面１１０と対シーブ摩擦面１１２との滑りが発生し回転ロスになり、伝達効率が低下する。すなわち、板厚差に対してクリアランスが小さ過ぎるとロスが大きくなって直線部におけるエネルギロスが発生し、板厚差に対してクリアランスが大き過ぎるとロスが大きくなってプーリ部におけるエネルギロスが発生する。
【００３５】
図６に示すような３種類の上下板厚差のエレメント１０２である場合、図７に示すような伝達効率になる。図６は、無端金属ベルト１０６を構成する、たとえば４００個のエレメント１０２の上下板厚差の平均値であったり、４００個から任意に抽出したエレメント１０２の上下板厚差の平均値であったり、４００個からエレメント１０２の製造ロット毎に抽出したエレメント１０２の上下板厚差の平均値であったりする。図７は、クリアランスと伝達効率との関係を、エレメント１０２の上下板厚差をパラメータとして表わしたものである。図７に示すように、板厚差の大小によって、良好な伝達効率を実現するクリアランス領域が異なる。たとえば、図６に示す上下板厚差の平均値が「Ｂ」である場合には、図７に示すクリアランスの領域が最適なクリアランス領域になる。
【００３６】
本実施の形態に係る無端金属ベルトの組付け方法においては、エレメント１０２の上下方向の板厚差を算出し、その板厚差に基づいて、最適なクリアランスを決定して、フープ１０４に多数のエレメント１０２を組合せて無端金属ベルト１０６を製造する。
【００３７】
図８に、無端金属ベルト１０６のエレメント間のクリアランス決定処理を実行して無端金属ベルト１０６を製造するために用いられる装置の一例であるコンピュータシステムの外観を示す。図８を参照して、このコンピュータシステム１０００は、ＦＤ（Ｆｌｅｘｉｂｌｅ  Ｄｉｓｋ）駆動装置１０６０およびＣＤ−ＲＯＭ（ＣｏｍｐａｃｔＤｉｓｃ−Ｒｅａｄ  Ｏｎｌｙ  Ｍｅｍｏｒｙ）駆動装置１０８０を備えたコンピュータ１０２０と、モニタ１０４０と、キーボード１１００と、マウス１１２０とを含む。
【００３８】
図９に、このコンピュータシステム１０００の構成をブロック図形式で示す。図９に示すように、コンピュータ１０２０は、上記したＦＤ駆動装置１０６０およびＣＤ−ＲＯＭ駆動装置１０８０に加えて、相互にバスで接続されたＣＰＵ（Ｃｅｎｔｒａｌ  Ｐｒｏｃｅｓｓｉｎｇ  Ｕｎｉｔ）１２００と、メモリ１２２０と、固定ディスク１２４０とを含む。ＦＤ駆動装置１０６０にはＦＤ１１６０がセットされる。ＣＤ−ＲＯＭ駆動装置１０８０にはＣＤ−ＲＯＭ１１８０がセットされる。
【００３９】
本発明に係るクリアランス決定処理は、コンピュータハードウェアとＣＰＵ１２００により実行されるソフトウェアとにより実現される。一般的にこうしたソフトウェアは、ＦＤ１１６０、ＣＤ−ＲＯＭ１１８０などの記録媒体に格納されて流通し、ＦＤ駆動装置１０６０またはＣＤ−ＲＯＭ駆動装置１０８０などにより記録媒体から読取られて固定ディスク１２４０に一旦格納される。さらに固定ディスク１２４０からメモリ１２２０に読出されて、ＣＰＵ１２００により実行される。図８および図９に示したコンピュータのハードウェア自体は一般的なものである。したがって、本発明の特徴的な部分は、ＦＤ１１６０、ＣＤ−ＲＯＭ１１８０、固定ディスク１２４０の記録媒体に記憶されたソフトウェアにより実現されるクリアランス決定処理である。
【００４０】
なお、図８および図９に示したコンピュータ自体の動作は周知であるので、ここではその詳細な説明は繰返さない。
【００４１】
図１０に、固定ディスク１２４０に記憶される上下板厚差とクリアランス設定値との関係マップを示す。図１０に示すようにこのマップは、エレメント１０２の上下板厚差に基づいて、クリアランス設定値が算出できるように構成される。
【００４２】
図１１を参照して、無端金属ベルト１０６のエレメント間のクリアランス決定処理は、以下のような制御構造を有する。
【００４３】
ステップ（以下、ステップをＳと略す。）１００で、ＣＰＵ１２００は、無端金属ベルト１０６のエレメント１０２の上下板厚差を、固定ディスク１２４０に記憶する。このとき、上下板厚差が記憶されるエレメント１０２は、無端金属ベルト１０６の１本に使用されるエレメント１０２の数（たとえば４００個）であったり、４００個から任意に抽出したエレメント１０２の数であったり、４００個からエレメント１０２の製造ロット毎に抽出したエレメント１０２の数であったりする。
【００４４】
Ｓ２００にて、ＣＰＵ１２００は、Ｓ１００にて記憶された上下板厚差の平均値を算出する。このとき、算出される平均値は、４００個のエレメント１０２の上下板厚差の平均値であったり、４００個から任意に抽出したエレメント１０２の上下板厚差の平均値であったり、４００個からエレメント１０２の製造ロット毎に抽出したエレメント１０２の上下板厚差の平均値であったりする。
【００４５】
Ｓ３００にて、ＣＰＵ１２００は、Ｓ２００にて算出した上下板厚差の平均値と図１０に示したマップとに基づいて、最適なクリアランス設定値を算出する。Ｓ４００にて、ＣＰＵ１２００は、このエレメント１０２を組付けるフープの周長を読出す。この周長は、予め固定ディスク１２４０に記憶されている。Ｓ５００にて、ＣＰＵ１２００は、読出したフープ周長と算出したクリアランス設定値とに基づいて、このフープに組付ける、基準厚さのエレメント１０２の数と厚み調整用のエレメント１０２の数とを算出する。すなわち、エレメント１０２の総厚みとフープ周長の差がクリアランスであるので、この差がクリアランス設定値になるように、エレメント１０２の数が決定される。
【００４６】
以上のような構造およびフローチャートに基づく、本実施の形態に係る無端金属ベルトの製造方法の動作について説明する。
【００４７】
作業者が、無端金属ベルト１０６を構成するフープの周長を、予め測定しておいて、キーボード１１００から入力する。作業者が、無端金属ベルト１０６を構成するエレメント１０２の製造ロット毎の上下板厚差を、キーボード１１００から入力する。キーボード１１００から入力されたこれらの値は、固定ディスク１２４０に記憶される（Ｓ１００）。上下板厚差の平均値が算出され（Ｓ２００）、算出された平均値から図１０に示すマップを用いてクリアランス設定値が算出される（Ｓ３００）。
【００４８】
固定ディスク１２４０から、これらのエレメント１０２を組付けるフープの周長が読み出されて（Ｓ４００）、周長とクリアランスとから、このフープに組付ける基準厚さのエレメント数と厚み調整用のエレメント数とを算出する（Ｓ５００）。
【００４９】
算出された基準厚さのエレメント数と厚み調整用のエレメント数とに基づいて、フープにエレメント１０２が組付けられる。
【００５０】
以上のようにして、製造された無端金属ベルトにおいて、エレメント間のクリアランスは、エレメントの上下板厚差によって決定されたものである。この決定においては、エレメントの上下板厚差をパラメータとして、クリアランスと伝達効率との関係に基づいて、伝達効率を向上させるように、クリアランスが決定される。その結果、伝達効率の良好な無端金属ベルトを組付ける方法を提供することができる。
【００５１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明の実施の形態に係る無端金属ベルトを用いたベルト式無段変速機の断面図である。
【図２】無端金属ベルトを説明するための部分斜視図である。
【図３】無端金属ベルトの全体構成を示す斜視図である。
【図４】エレメントの正面図である。
【図５】エレメントの側面図である。
【図６】上下板厚差と示す図である。
【図７】クリアランスと伝達効率との関係を示す図である。
【図８】本発明の実施の形態にクリアランス決定処理を実行するコンピュータシステムの外観図である。
【図９】図８に示すコンピュータシステムの制御ブロック図である。
【図１０】上下板厚差とクリアランスとの関係を示す図である。
【図１１】本発明の実施の形態に係るクリアランス決定処理の制御の手順を示すフローチャートである。
【符号の説明】
１００  無段変速機、１０２  エレメント、１０４  フープ、１０６  無端金属ベルト、１０８  シーブ、１１０  シーブ面、１１２  対シーブ摩擦面、１１４  基体部分、１１６  首部、１１８  頂部、１２０  サドル面、１２２  ディンプル・ホール、１２４  傾斜面、２００  入力軸、２２０  入力側プーリ、３００  出力軸、３２０  出力側プーリ、１０００  コンピュータシステム、１０２０  コンピュータ、１０４０  モニタ、１０６０  ＦＤ駆動装置、１０８０  ＣＤ−ＲＯＭ駆動装置、１１００  キーボード、１１２０  マウス、１２００  ＣＰＵ、１２２０  メモリ、１２４０  固定ディスク。
【図１】
2004218802.tif 000003
【図２】
2004218802.tif 000004
【図３】
2004218802.tif 000005
【図４】
2004218802.tif 000006
【図５】
2004218802.tif 000007
【図６】
2004218802.tif 000008
【図７】
2004218802.tif 000009
【図８】
2004218802.tif 000010
【図９】
2004218802.tif 000011
【図１０】
2004218802.tif 000012
【図１１】
2004218802.tif 000013